(57)【特許請求の範囲】
【請求項１】
入力信号の隣接干渉波を抑圧する帯域干渉フィルタと、
スケルチ開放制御を行うスケルチ制御部とを含み、
前記スケルチ制御部は、前記帯域干渉フィルタを接続した場合の受信信号のレベルがスケルチの閾値付近であり、かつ、前記入力信号が希望波のみである場合に、前記スケルチ開放制御と連動して前記帯域干渉フィルタをバイパスさせることを特徴とする無線受信装置。
【請求項２】
入力信号の隣接干渉波を抑圧する帯域干渉フィルタと、
スケルチ開放制御を行うスケルチ制御部とを含み、
前記スケルチ制御部は少なくとも２つのスケルチ開放閾値を備え、前記２つのスケルチ開放閾値の差分は前記帯域干渉フィルタの挿入損失分に対応することを特徴とする無線受信装置。
【請求項３】
前記スケルチ制御部は、
２つのスケルチ開放閾値をＳＱ１およびＳＱ２（ＳＱ１＞ＳＱ２）とすると、
前記帯域干渉フィルタを接続した場合の受信信号のレベル（Ｖ１）がＳＱ２以上かつＳＱ１以下であり、かつ前記受信信号のレベル（Ｖ１）と帯域干渉フィルタをバイパスした場合の受信信号のレベル（Ｖ２）との差が前記帯域干渉フィルタの挿入による損失分に等しい場合、隣接干渉は存在しないと判断してスケルチを開放することを特徴とする請求項２記載の無線受信装置。
【請求項４】
前記スケルチ制御部は、
２つのスケルチ開放閾値をＳＱ１およびＳＱ２（ＳＱ１＞ＳＱ２）とすると、
前記帯域干渉フィルタを接続した場合の受信信号のレベル（Ｖ１）がＳＱ２以上かつＳＱ１以下であり、かつ前記受信信号のレベル（Ｖ１）と帯域干渉フィルタをバイパスした場合の受信信号のレベル（Ｖ２）との差が前記帯域干渉フィルタの挿入による損失分を超える場合、隣接干渉が存在すると判断してスケルチを閉塞することを特徴とする請求項２または３記載の無線受信装置。
【請求項５】
前記スケルチ制御部はキャリアスケルチを用いてスケルチ制御を行うことを特徴とする請求項１から４のいずれかに記載の無線受信装置。
【請求項６】
入力信号の隣接干渉波を抑圧する帯域干渉フィルタと、スケルチ開放制御を行うスケルチ制御部とを含む無線受信装置におけるスケルチ制御方法であって、
前記スケルチ制御部は、前記帯域干渉フィルタを接続した場合の受信信号のレベルがスケルチの閾値付近であり、かつ、前記入力信号が希望波のみである場合に、前記スケルチ開放制御と連動して前記帯域干渉フィルタをバイパスさせることを特徴とするスケルチ制御方法。
【請求項７】
入力信号の隣接干渉波を抑圧する帯域干渉フィルタと、スケルチ開放制御を行うスケルチ制御部とを含む無線受信装置におけるスケルチ制御方法であって、
前記スケルチ制御部は少なくとも２つのスケルチ開放閾値を備え、前記２つのスケルチ開放閾値の差分は前記帯域干渉フィルタの挿入損失分に対応することを特徴とするスケルチ制御方法。
【請求項８】
前記スケルチ制御部は、
２つのスケルチ開放閾値をＳＱ１およびＳＱ２（ＳＱ１＞ＳＱ２）とすると、
前記帯域干渉フィルタを接続した場合の受信信号のレベル（Ｖ１）がＳＱ２以上かつＳＱ１以下であり、かつ前記受信信号のレベル（Ｖ１）と帯域干渉フィルタをバイパスした場合の受信信号のレベル（Ｖ２）との差が前記帯域干渉フィルタの挿入による損失分に等しい場合、隣接干渉は存在しないと判断してスケルチを開放することを特徴とする請求項７記載のスケルチ制御方法。
【請求項９】
前記スケルチ制御部は、
２つのスケルチ開放閾値をＳＱ１およびＳＱ２（ＳＱ１＞ＳＱ２）とすると、
前記帯域干渉フィルタを接続した場合の受信信号のレベル（Ｖ１）がＳＱ２以上かつＳＱ１以下であり、かつ前記受信信号のレベル（Ｖ１）と帯域干渉フィルタをバイパスした場合の受信信号のレベル（Ｖ２）との差が前記帯域干渉フィルタの挿入による損失分を超える場合、隣接干渉が存在すると判断してスケルチを閉塞することを特徴とする請求項７または８記載のスケルチ制御方法。
【請求項１０】
入力信号の隣接干渉波を抑圧する帯域干渉フィルタと、スケルチ開放制御を行うスケルチ制御部とを含む無線受信装置におけるスケルチ制御方法を前記スケルチ制御部に実行させるためのプログラムであって、
前記スケルチ制御部に、前記帯域干渉フィルタを接続した場合の受信信号のレベルがスケルチの閾値付近であり、かつ、前記入力信号が希望波のみである場合に、前記スケルチ開放制御と連動して前記帯域干渉フィルタをバイパスさせることを特徴とするプログラム。
【発明の詳細な説明】
【技術分野】
【０００１】
本発明は、無線受信装置およびそのスケルチ制御方法に関し、特に帯域干渉フィルタを有する無線受信装置およびそのスケルチ制御方法に関する。
【背景技術】
【０００２】
図９は本発明に関連する無線受信装置の一例の構成図である。同図を参照すると、本発明に関連する無線受信装置の一例は、チャンネル帯域フィルタ１１と、受信検波回路１２と、スケルチ制御回路１３と、音声信号アンプ１４と、音声信号端子１５と、スケルチ制御端子１６とを含んで構成される。
【０００３】
チャンネル帯域フィルタ１１は隣接干渉波を抑圧する。受信検波回路１２はローノイズアンプ、ミキサおよび検波回路を含む受信回路である。スケルチ制御回路１３は、受信検波回路１２より得られた受信強度信号（ＲＳＳＩ：Received Signal Strength Indication ）レベルにより音声出力制御を行う。音声信号アンプ１４は音声信号を増幅する。音声信号端子１５は音声信号の出力端子である。スケルチ制御端子１６は外部からスケルチを制御するための入力端子である。スケルチ制御回路１３は、受信検波回路１２より得られた受信強度信号レベルに応じて音声信号アンプ１４のＯＮ−ＯＦＦを制御する。
【０００４】
一方、本発明に関連する無線受信装置の他の一例として、本発明の帯域干渉フィルタに対応するチャンネル選択フィルタを備えた受信機が開示されている（たとえば、特許文献１参照）。
【０００５】
この受信機はアンテナ端子に入力された高周波信号と局部発信器の出力信号をミキシングして中間周波数信号を得るためのミキサと、中間周波数信号を入力とするリミッタアンプと、リミッタアンプの出力信号を入力とするチャンネル選択フィルタと、チャンネル選択フィルタの出力信号レベルによりキャリアセンス動作を行うキャリアセンス回路を備えている。
【０００６】
そして、アンテナ端子への希望チャンネルの高周波信号の入力電力が第１の入力レベル以上のときキャリアセンス回路がキャリア有りの信号を出すように設定され、さらにアンテナ端子への高周波信号の入力電力が第１の入力レベルよりチャンネル選択フィルタの帯域外減衰量の値だけ大きな第２の入力レベルのときリミッタアンプが飽和するように設定されている。
【０００７】
さらに、本発明に関連する無線受信装置の他の一例として、本発明の帯域干渉フィルタに対応するＧＰＳ帯域除去フィルタと、ＧＰＳ帯域除去フィルタをバイパスさせるためのバイパススイッチとを備える携帯無線端末が開示されている（たとえば、特許文献２参照）。
【０００８】
この携帯無線端末は、通信用アンテナと、ＧＰＳ用アンテナとを備え、通信回路により無線送信実行中にＧＰＳ受信を行う場合、バイパススイッチにより通信用アンテナへの経路にＧＰＳ帯域除去フィルタを接続する。これにより、第１の通信帯域による送信信号から第２の通信帯域の成分が除去され、第１の通信部の送信信号が第２の通信部および第２のアンテナに悪影響を及ぼすのを防止する。
【０００９】
一方、通信回路により無線送信実行中にＧＰＳ受信を行わない場合は、バイパススイッチにより通信用アンテナへの経路からＧＰＳ帯域除去フィルタをバイパスさせる。
【００１０】
さらに、本発明に関連する無線受信装置の他の一例として、バンドパスフィルタの切り替え構成を有するフィルタ切替型ノイズスケルチ回路が開示されている（たとえば、特許文献３参照）。
【００１１】
このノイズスケルチ回路は、ノイズフィルタとして中心周波数が異なる複数のバンドパスフィルタを切り替え可能に備え、受信電界強度、ノイズレベル、通信品質を示す信号の少なくとも一つに基づいて、所要の中心周波数のバンドパスフィルタを選択するように構成されている。
【先行技術文献】
【特許文献】
【００１２】
【特許文献１】特開平１１−１４５８５９号公報
【特許文献２】特開２０１０−１３６２９８号公報
【特許文献３】特開２０１１−０１９０５０号公報
【発明の概要】
【発明が解決しようとする課題】
【００１３】
図９に記載の本発明に関連する無線受信装置の一例では、隣接干渉波の影響を受ける受信環境にあっては、指定された受信周波数以外の信号を除去するために、狭帯域の帯域除去フィルタをＲＦ先頭段に挿入することで、隣接チャンネル干渉を抑圧している。
【００１４】
しかしながら、受信機にとって理想的な狭帯域と高抑圧度の性能を持つためには、挿入損失が大きくなりがちであり、これが受信感度特性を低下させる一因となっている。
【００１５】
また、受信感度が閾値付近である電波を受信している間、とぎれとぎれになる音声受信通話を継続させるため、キャリアスケルチを無効（スケルチ開放）に制御する場合があるが、これにより受信状態が悪化するという問題がある。
【００１６】
また、スケルチレベルのみでチャンネル帯域除去フィルタをバイパスした場合、干渉の影響を受け誤って音声を出力するという問題がある。
【００１７】
一方、特許文献１に開示の発明は、キャリアセンス回路（キャリアスケルチおよびノイズスケルチを含む）の前段にチャンネル選択フィルタを挿入したことを特徴とするものであり、本願のようなフィルタのバイパス制御はこの特許文献１には開示されていない。したがって、特許文献１に開示の発明によって本発明の課題を解決することはできない。
【００１８】
また、特許文献２に開示の発明は、フィルタをバイパス制御する構成を有しており、この点で本発明と共通する。しかし、特許文献２に開示の発明は、スケルチ制御を目的とするものではなく、通信回路の送信波がＧＰＳ受信機に与える影響を小さくすることを目的とするものである。したがって、特許文献２に開示の発明は、その目的が本発明と全く異なり、その目的達成のための構成も本発明と全く異なる。したがって、特許文献２に開示の発明によって本発明の課題を解決することはできない。
【００１９】
また、特許文献３に開示の発明は、スケルチ回路の誤動作防止を目的とする点で本発明と共通する。しかし、その構成は中心周波数が異なる複数のバンドパスフィルタを切り替えるものであり、本発明のようにバンドパスフィルタを接続あるいはバイパスさせる構成とは全く異なる。特に、特許文献３に開示の発明は、バンドパスフィルタをバイパスさせる構成を有しないため、バンドパスフィルタの挿入損失を零にすることはできない。したがって、特許文献３に開示の発明によって本発明の課題を解決することはできない。
【００２０】
そこで、本発明の目的は、帯域干渉フィルタ挿入による受信感度の低下、キャリアスケルチを無効（スケルチ開放）に制御することによる受信状態の悪化および帯域干渉フィルタバイパスによるスケルチの誤動作を防止することが可能な無線受信装置およびそのスケルチ制御方法を提供することにある。
【課題を解決するための手段】
【００２１】
前記課題を解決するために、本発明による無線受信装置は、隣接干渉波を抑圧する帯域干渉フィルタと、スケルチ開放制御を行うスケルチ制御部とを含み、前記スケルチ制御部は前記スケルチ開放制御と連動して前記帯域干渉フィルタをバイパスさせることを特徴とする。
【００２２】
また、本発明によるスケルチ制御方法は、隣接干渉波を抑圧する帯域干渉フィルタと、スケルチ開放制御を行うスケルチ制御部とを含む無線受信装置におけるスケルチ制御方法であって、前記スケルチ制御部は前記スケルチ開放制御と連動して前記帯域干渉フィルタをバイパスさせることを特徴とする。
【００２３】
また、本発明によるプログラムは、隣接干渉波を抑圧する帯域干渉フィルタと、スケルチ開放制御を行うスケルチ制御部とを含む無線受信装置におけるスケルチ制御方法を前記スケルチ制御部に実行させるためのプログラムであって、前記スケルチ制御部に、前記スケルチ開放制御と連動して前記帯域干渉フィルタをバイパスさせることを特徴とする。
【発明の効果】
【００２４】
本発明によれば、帯域干渉フィルタ挿入による受信感度の低下、キャリアスケルチを無効（スケルチ開放）に制御することによる受信状態の悪化および帯域干渉フィルタバイパスによるスケルチの誤動作を防止することが可能となる。
【図面の簡単な説明】
【００２５】
【図１】本発明に係る無線受信装置の一例の構成図である。
【図２】キャリアスケルチレベルの閾値ＳＱ１およびＳＱ２と受信信号のＲＳＳＩ値との関係の一例を示す図である。
【図３】キャリアスケルチレベルの閾値ＳＱ１およびＳＱ２と受信信号のＲＳＳＩ値との関係の一例を示す図である。
【図４】干渉波が存在する場合のＲＳＳＩレベルの一例を示す図である。
【図５】干渉波が存在しない場合のＲＳＳＩレベルの一例を示す図である。
【図６】本発明に係る無線受信装置のスケルチ制御方法の動作の一例を示すフローチャートである。
【図７】本発明に係る無線受信装置のスケルチ制御方法の動作の一例を示すフローチャートである。
【図８】本発明に係る無線受信装置のスケルチ制御方法の動作の一例を示すフローチャートである。
【図９】本発明に関連する無線受信装置の一例の構成図である。
【発明を実施するための形態】
【００２６】
以下、本発明の実施の形態について添付図面を参照しながら説明する。図１は本発明に係る無線受信装置の一例の構成図である。同図を参照すると、本発明に係る無線受信装置の一例は、２個のＲＦスイッチ１，２と、チャンネル帯域フィルタ３と、受信検波回路４と、スケルチ制御回路５と、音声信号アンプ６と、音声信号端子７と、スケルチ制御端子８と、プログラム格納部９と、メモリ１０とを含んで構成される。
【００２７】
ＲＦスイッチ１，２はチャンネル帯域フィルタ３の信号経路Ａと、チャンネル帯域フィルタ３をバイパスする信号経路Ｂとを切り換えるスイッチである。チャンネル帯域フィルタ３は隣接干渉波を抑圧する。受信検波回路４はローノイズアンプ、ミキサおよび検波回路を含む受信回路である。
【００２８】
スケルチ制御回路５は、受信検波回路４より得られた受信強度信号（ＲＳＳＩ：Received Signal Strength Indication ）レベルにより音声出力制御を行う。音声信号アンプ６は音声信号を増幅する。音声信号端子７は音声信号の出力端子である。スケルチ制御端子８は外部からスケルチを制御するための入力端子である。プログラム格納部９には後述するスケルチ制御方法のプログラムが格納される。メモリ１０にはデータが格納される。
【００２９】
チャンネル帯域フィルタ３を経由する信号経路Ａと、チャンネル帯域フィルタ３を経由しない信号経路Ｂとの切り替えを行うＲＦスイッチ１，２をチャンネル帯域フィルタ３の両端に接続する。また、ＲＦスイッチ１，２の切り替えはスケルチ制御回路５によって行われる。
【００３０】
なお、チャンネル帯域フィルタ３を経由する信号経路Ａ側にＲＦスイッチ１，２を切り替えることを「チャンネル帯域フィルタ３を接続する」と表示し、チャンネル帯域フィルタ３を経由しない信号経路Ｂ側にＲＦスイッチ１，２を切り替えることを「チャンネル帯域フィルタ３をバイパスする」と以後表示する場合がある。
【００３１】
スケルチ制御回路５は、受信検波回路４によって得られたＲＳＳＩを使用したキャリアスケルチを用いてスケルチ制御を行う。図２および図３はキャリアスケルチレベルの閾値ＳＱ１およびＳＱ２と受信信号のＲＳＳＩ値との関係の一例を示す図である。なお、図２はチャンネル帯域フィルタ３の接続時、図３はチャンネル帯域フィルタ３のバイパス時をそれぞれ示している。
【００３２】
キャリアスケルチレベルの閾値は、運用条件によって決定されたＳＱ１（図２参照）と、チャンネル帯域フィルタ３をバイパスすることによってＲＳＳＩレベルの向上が期待できるＳＱ２（図３参照）の２つの閾値を用意する。チャンネル帯域フィルタ３の挿入損失をＦＬとしたときのＳＱ１，ＳＱ２との関係は、
ＳＱ１≦ＦＬ＋ＳＱ２  ・・・（１）
とする。つまり、ＳＱ２のレベルは、チャンネル帯域フィルタ３をバイパスすることにより期待できる値を限界値とする。
【００３３】
ＲＳＳＩレベルがＳＱ１を超える時は、ＲＦスイッチ１，２をチャンネル帯域フィルタ３を経由する信号経路Ａ側に切り換えるとともに、音声信号アンプ６をＯＮ状態とすることで受信音声を出力する。
【００３４】
一方、ＲＳＳＩレベルがＳＱ１を超えないがＳＱ２を超えた場合は、ＲＦスイッチ１，２をチャンネル帯域フィルタ３をバイパスする信号経路Ｂ側に切り換える。
【００３５】
なお、ＳＱ２を超えたＲＳＳＩレベルをＶ１とし、この値をメモリ１０（図１参照）に記憶しておき、チャンネル帯域フィルタ３をバイパスした時のＲＳＳＩレベルＶ２と比較する。
【００３６】
チャンネル帯域フィルタ３の特徴は、希望波の挿入損失ＦＬは可能な限り小さくする一方、隣接チャンネル干渉の抑圧度は、一例として２０ｄＢ以上の損失を持たせることにある。
【００３７】
したがって、隣接干渉のない時のＲＳＳＩレベルは、チャンネル帯域フィルタ３のバイパス前後の、
Ｖ２−Ｖ１＝ＦＬ  ・・・（２）
の関係式が成り立つ。なお、（Ｖ２−Ｖ１）はＲＳＳＩの差を表す。
【００３８】
一方、干渉波を伴う受信の場合は、先のチャンネル帯域フィルタ３の特性から、
Ｖ２−Ｖ１＞ＦＬ  ・・・（３）
となり、干渉波によるものか否かを（Ｖ２−Ｖ１）の値をＦＬと比較することで識別が可能となる。
【００３９】
したがって、Ｖ２−Ｖ１＝ＦＬ（式２参照）が成立する時は、希望波の受信を行っていると判断し、音声信号アンプ６をＯＮ状態とし受信音声を得る。一方、Ｖ２−Ｖ１＞ＦＬ（式３参照）が成立する時は、干渉波もしくは不要波と判断し、音声信号アンプ６をＯＦＦ状態に維持する。
【００４０】
すなわち、スケルチレベルの閾値をＳＱ１，ＳＱ２と２つ設けることで、ＳＱ１を超える十分な受信レベルが得られる場合は、耐干渉性能を上げるためチャンネル帯域フィルタ３をバイパスしない動作とする。
【００４１】
スケルチレベルＳＱ２の閾値は、閾値ＳＱ１からチャンネル帯域フィルタ３の損失レベルＦＬを差し引いた値より高く設定する。すなわち、
ＳＱ２＞ＳＱ１−ＦＬ  ・・・（４）
とし、チャンネル帯域フィルタ３をバイパスした時の受信レベルは、チャンネル帯域フィルタ３使用時のＳＱ１より高く設定することで、運用性を損なわない受信環境時にのみチャンネル帯域フィルタ３を使用する。
【００４２】
したがって、スケルチ制御によるチャンネル帯域フィルタ３のバイパス動作は、
ＳＱ１＞ＲＳＳＩ（フィルタ通過時：Ｖ１）＞ＳＱ２  ・・・（５）
に制限するものとする。
【００４３】
上記（式５）が成立する時のＲＳＳＩレベルＶ１の値をメモリ１０に記憶保持し、ＲＳＳＩレベルＶ１とチャンネル帯域フィルタ３をバイパスしたＲＳＳＩレベルＶ２との値を比較し、Ｖ２−Ｖ１＝ＦＬ（式２参照）が成立するときに受信検波回路４に入力した信号は、希望チャンネルの信号と判断し、音声信号アンプ６をＯＮに制御する。
【００４４】
次に、本発明の動作の概要について説明する。干渉波と希望波の判別は図４および図５により説明することができる。図４は干渉波が存在する場合のＲＳＳＩレベルの一例を示す図、図５は干渉波が存在しない場合のＲＳＳＩレベルの一例を示す図である。
【００４５】
具体的に説明すると、図４（Ａ）は干渉波が存在しかつチャンネル帯域フィルタ３を接続した場合のＲＳＳＩレベルＶ１の一例を示し、図４（Ｂ）は干渉波が存在しかつチャンネル帯域フィルタ３をバイパスした場合のＲＳＳＩレベルＶ２の一例を示している。
【００４６】
また、図５（Ａ）は干渉波が存在しないでかつチャンネル帯域フィルタ３を接続した場合のＲＳＳＩレベルＶ１の一例を示し、図５（Ｂ）は干渉波が存在しないでかつチャンネル帯域フィルタ３をバイパスした場合のＲＳＳＩレベルＶ２の一例を示している。
【００４７】
図４（Ａ），（Ｂ）は干渉波Ｆ１によりチャンネル帯域フィルタ３を通過したＲＳＳＩレベルＶ１がＳＱ２＜Ｖ１＜ＳＱ１の条件を満たす場合に、チャンネル帯域フィルタ３をバイパスすると、チャンネル帯域フィルタ３によって抑圧された損失レベルＦＬ分が開放されるため、ＲＳＳＩレベルＶ２＝Ｖ１＋ＦＬとなることを示している。
【００４８】
一方、図５（Ａ），（Ｂ）に示すように、干渉波が存在せず希望波のみの信号であれば、チャンネル帯域フィルタ３を通過したＶ１とバイパスしたＶ２との関係は、Ｖ２＝Ｖｉ＋ＦＬの式が成り立つことで、希望波のみかあるいは干渉波を含んだ信号なのかの識別が可能となる。
【００４９】
次に、本発明の第１実施例について説明する。図１を参照すると、本発明の実施例として、重要となるのはチャンネル帯域フィルタ３の特性に整合したスケルチ制御にある。たとえば、チャンネル間隔２５ｋＨｚ，チャンネル帯域フィルタ３の通過帯域特性ＢＷ＝１０ｋＨｚ、通過帯域損失ＦＬ＝６ｄＢ，±２５ｋＨｚ離れでの抑圧度を３０ｄＢ以上とする。
【００５０】
運用上必要なスケルチ設定は、ＲＳＳＩ＝−１００ｄＢｍと仮定すると、
ＳＱ１＝−１００ｄＢｍ
ＳＱ２≧ＳＱ１−ＦＬ＝−１００−６＝−１０６ｄＢｍ
の設定がそれぞれ与えられる。なお、チャンネル帯域フィルタ３を通過したＲＳＳＩレベルをＶ１，チャンネル帯域フィルタ３をバイパスしたＲＳＳＩをＶ２とする。
【００５１】
以上の条件の下、たとえば、ＲＳＳＩ＝−９８ｄＢｍの入力信号がある場合の動作は、受信検波回路４から出力されるＲＳＳＩ（Ｖ１）＝−９８ｄＢｍ＞ＳＱ１であるので、スケルチ制御は、チャンネル帯域フィルタ３を通過する経路Ａのまま、音声信号アンプ６がＯＮ制御され、音声出力される。
【００５２】
一方、ＲＳＳＩ＝−１０２ｄＢｍの入力信号がある場合の動作は、受信検波回路４から出力されるＲＳＳＩ（Ｖ１＝−１０２ｄＢｍ）は、ＳＱ１（−１００ｄＢｍ）より小さいが、ＳＱ２（−１０６ｄＢｍ）より大きいため、スケルチ制御は、Ｖ１（−１０２ｄＢｍ）の値をメモリ１０に記憶し、チャンネル帯域フィルタ３をバイパスする経路Ｂに切り替える。
【００５３】
この時のＲＳＳＩ（Ｖ２）が希望波であれば、想定した帯域フィルタの損失であるＦＬ＝６ｄＢだけレベルが向上するため、Ｖ２（−９６）≒Ｖ１（−１０２）＋ＦＬ（６）であれば音声信号アンプ６をＯＮとし、音声信号を出力させる。
【００５４】
一方、入力信号が干渉波であれば、抑圧度３０ｄＢ程度ＲＳＳＩが増加するため、Ｖ２≒―１０２＋３０＝−７２ｄＢｍとなり、想定したＶ２≒−９６ｄＢｍとはかけ離れた値となる。干渉波と判断した場合は、スケルチ制御によりＲＦスイッチ１，２（図１参照）をチャンネル帯域フィルタ３側に切り換える。
【００５５】
実際の運用では、ＲＳＳＩ検出誤差や入力レベル変動があるため、想定したレベルより±２〜３ｄＢ程度等、運用上都合の良い許容値を持たせることで干渉波と希望波の切り分けを行う。
【００５６】
次に、本発明の他の実施形態について説明する。受信信号のレベルがスケルチの閾値付近である場合、受信者は任意にスケルチ開放制御を行い、多少ノイズがあっても継続した受信音声出力を必要とする場合がある。
【００５７】
このような任意のスケルチ制御時、前述と同様の手法により、チャンネル帯域フィルタ３のバイパス制御と連動した仕組みを盛り込む。すなわち、任意のスケルチ開放制御に同期させ、チャンネル帯域フィルタ３をバイパスし希望波レベルを向上させる。
【００５８】
バイパス制御設定により、先の干渉波と希望波を切り分け、入力信号が希望波のみであれば、スケルチ開放時にチャンネル帯域フィルタ３をバイパス制御し、干渉波があるときはチャンネル帯域フィルタ３を通過させたままとする等、運用形態により設定変更することも考えられる。
【００５９】
次に、本発明の第２実施例について説明する。先の実施例では、ＳＱ１，ＳＱ２の２つの閾値としたが、ＳＱ１より大きな閾値、たとえばＳＱ０を設定し、よりＳ／Ｎの高い受信を優先させてフィルタバイパスを積極的に活用することも可能である。
【００６０】
次に、本発明の第３実施例について説明する。図１の音声信号アンプ６は、簡易的にアナログ音声をアナログ制御することを実施例としたが、デジタル音声をデジタル制御する場合にも本発明の適用が可能である。すなわち、干渉波と判断した時に音声信号を抑圧し、希望波と判断した時に音声出力を行うことが可能であれば、音声信号アンプ６の取り扱う信号はアナログ音声でもデジタル音声でもよい。
【００６１】
次に、本発明に係る無線受信装置のスケルチ制御方法の動作の一例について説明する。図６〜８は本発明に係る無線受信装置のスケルチ制御方法の動作の一例を示すフローチャートである。
【００６２】
以下の動作は、スケルチ制御回路５がメモリ１０内のデータを参照して、ＲＦスイッチ１，２、受信検波回路４および音声信号アンプ６を制御することで実行される。
【００６３】
まず、スケルチ制御回路５は、ＲＦスイッチ１，２を制御して、チャンネル帯域フィルタ３を受信検波回路４の入力側に接続させる（ステップＳ１）。次に、スケルチ制御回路５は受信検波回路４で受信された信号のＲＳＳＩレベル（Ｖ１）をＳＱ１と比較する（ステップＳ２）。そして、ＲＳＳＩ（Ｖ１）がＳＱ１を超える場合（ステップＳ２にて“Ｙ”の場合）、スケルチ制御回路５は音声信号アンプ６をＯＮに設定する（ステップＳ３）。
【００６４】
一方、ＲＳＳＩ（Ｖ１）がＳＱ１未満の場合（ステップＳ２にて“Ｎ”の場合）、スケルチ制御回路５は受信検波回路４で受信された信号のＲＳＳＩレベル（Ｖ１）をＳＱ１およびＳＱ２と比較する（ステップＳ４）。そして、ＲＳＳＩ（Ｖ１）がＳＱ１未満であるがＳＱ２を超える場合（ステップＳ４にて“Ｙ”の場合）、スケルチ制御回路５はＲＦスイッチ１，２を制御して、チャンネル帯域フィルタ３を受信検波回路４の入力側からバイパスさせる（ステップＳ６）。次に、スケルチ制御回路５はＶ１の値をメモリ１０に記憶させる（ステップＳ７）。
【００６５】
そして、スケルチ制御回路５は受信検波回路４で受信された信号のＲＳＳＩレベル（Ｖ２）を測定し、かつメモリ１０からＶ１の値を読み出し、Ｖ２とＶ１の差を算出する（ステップＳ８）。そして、Ｖ２とＶ１の差がＦＬ以下である場合（ステップＳ８にて“Ｙ”の場合）、スケルチ制御回路５は音声信号アンプ６をＯＮに設定する（ステップＳ９）。
【００６６】
一方、ステップＳ４にてＲＳＳＩ（Ｖ１）がＳＱ２未満である場合（ステップＳ４にて“Ｎ”の場合）、スケルチ制御回路５は音声信号アンプ６をＯＦＦに設定する（ステップＳ５）。
【００６７】
一方、ステップＳ８にてＶ２とＶ１の差がＦＬを超える場合（ステップＳ８にて“Ｎ”の場合）、スケルチ制御回路５は音声信号アンプ６をＯＦＦに設定する（ステップＳ１０）。そして、スケルチ制御回路５はＲＦスイッチ１，２を制御して、チャンネル帯域フィルタ３を受信検波回路４の入力側に接続させる（ステップＳ１１）。
【００６８】
次に、本発明に係るスケルチ制御方法のプログラムについて説明する。本発明に係る無線受信装置はプログラム格納部９を備えている（図１参照）。プログラム格納部９には図６〜図８にフローチャートで示すスケルチ制御方法のプログラムが格納されている。
【００６９】
スケルチ制御回路５はプログラム格納部９からそのプログラムを読み出し、そのプログラムにしたがって、メモリ１０内のデータを参照し、ＲＦスイッチ１，２、受信検波回路４および音声信号アンプ６を制御する。その制御内容については既に述べたのでここでの説明は割愛する。
【００７０】
以上説明したように、本発明に係る無線受信装置およびそのスケルチ制御方法によれば、受信感度を向上させることが可能となる。その理由は、非干渉状態に帯域フィルタをバイパスするため、帯域フィルタの損失がバイパスされるためである。
【００７１】
さらに、本発明によれば、干渉波の誤検出によるスケルチ制御を抑圧することが可能となる。その理由は、帯域フィルタの接続有りの場合のＲＳＳＩレベルと無しの場合のＲＳＳＩレベルとを比較することで、干渉の有無を判断し、干渉が有る場合は音声信号アンプをＯＦＦとし、運用者側に音声出力を行わないためである。
【００７２】
上記の実施形態の一部または全部は、以下の付記のようにも記載されうるが、以下には限られない。
【００７３】
（付記１）  隣接干渉波を抑圧する帯域干渉フィルタと、スケルチ開放制御を行うスケルチ制御部と、前記スケルチ制御部によって音声のＯＮおよびＯＦＦが制御される音声信号アンプとを含み、前記スケルチ制御部はスケルチ開放とともに前記音声信号アンプをＯＮに設定し、スケルチ閉塞とともに前記音声信号アンプをＯＦＦに設定することを特徴とする無線受信装置。
【００７４】
（付記２）  隣接干渉波を抑圧する帯域干渉フィルタと、スケルチ開放制御を行うスケルチ制御部とを含む無線受信装置におけるスケルチ制御方法であって、前記スケルチ制御部はキャリアスケルチを用いてスケルチ制御を行うことを特徴とするスケルチ制御方法。
【００７５】
（付記３）  前記無線受信装置には前記スケルチ制御部によって音声のＯＮおよびＯＦＦが制御される音声信号アンプがさらに含まれ、前記スケルチ制御部はスケルチ開放とともに前記音声信号アンプをＯＮに設定し、スケルチ閉塞とともに前記音声信号アンプをＯＦＦに設定することを特徴とする付記２記載のスケルチ制御方法。
【符号の説明】
【００７６】
１、２  ＲＦスイッチ
３  チャンネル帯域フィルタ
４  受信検波回路
５  スケルチ制御回路
６  音声信号アンプ
７  音声信号端子
８  スケルチ制御端子
９  プログラム格納部
１０  メモリ
【図１】
0005754256.tif 000002
【図２】
0005754256.tif 000003
【図３】
0005754256.tif 000004
【図４】
0005754256.tif 000005
【図５】
0005754256.tif 000006
【図６】
0005754256.tif 000007
【図７】
0005754256.tif 000008
【図８】
0005754256.tif 000009
【図９】
0005754256.tif 000010